(57)【要約】【課題】省資源化、コストダウンを目的とする剥離紙のない伝票類カバー用粘着シートフィーダーを提供する。【解決手段】表面に剥離コート層１１をもつ透明フィルムからなるカバー基材１０の背面の両側部に、強い粘着力をもつ帯状の粘着剤層１２が形成され、両側部の帯状の粘着剤層１２に挟まれる中間領域１３に、左右に非粘着部分１４を介在させて再剥離を可能とする再剥離粘着剤層１５が形成された剥離紙のない伝票類カバー用粘着シートロールＲを、回転可能に上面が開口するホルダー２内に収容し、引き出した粘着シートＡを適宜の巾に切断するカッター刃３を蓋体４の前端縁に設け、カッター刃３は取換可能とした。【選択図】図１
2007238164.tif 000002
【特許請求の範囲】
【請求項１】
表面に剥離コート層をもつ透明フィルムからなるカバー基材の背面の両側に、強い粘着力を持つ帯状の粘着剤層が形成され、両側部の粘着剤層に挟まれる中間領域に左右に非粘着部分を介在して再剥離を可能とする再剥離粘着剤層が形成された剥離紙のない伝票類カバー用粘着シートをロール状に巻取った粘着シートロールを、回転可能に上面を開口した細長のホルダー内に保持し、該ホルダーの後端縁にて開閉可能に設けられた蓋体の前端縁に沿ってカッター刃を交換可能に取付けた伝票類カバー用粘着シートフィーダー。
【発明の詳細な説明】
【技術分野】
【０００１】
この発明は、背面に粘着剤を帯状に部分的に塗布した透明フィルムからなる粘着シートを、荷物などの被着体面に貼り付け、被着体の表面との間に伝票類を介在させて封入する剥離紙を必要としない伝票類カバー用粘着シートを、シートロールから引き出し適宜の巾にカットして提供する粘着シートフィーダーである。
【背景技術】
【０００２】
一般に、配送業者が依頼主より荷物を受取り、荷受先に配送するに送り状、納品書などの伝票類が荷物に貼り付けられる。また、この伝票類の抜け落ちを防ぎ、且つ伝票類を保護する為に、透明フィルムの袋状カバーに封入され、この袋状カバーを背面に塗布した粘着剤にて荷物に貼り付けている。しかし、粘着剤を保護する目的で剥離紙が用いられているが、剥離紙は後でごみとして処理され、近年の省資源化、コストダウンの要請に反するものである。
【０００３】
そこで、本出願人は、流通コストの低減が可能で、省資源化を達成できる伝票類カバーであって、搬送途中で封入した伝票類が抜け落ちない、確実な保持を達成できる伝票類カバー用粘着シートを提案した（実用新案登録第３１１１６２９号）。
【特許文献１】実用新案登録第３１１１６２９号公報
【０００４】
この考案では、表面に剥離処理の施された剥離コート層をもつ透明フィルムからなるカバー基材の背面の両側に、強い粘着力をもつ帯状の粘着剤層を形成し、両側部の粘着剤層に挟まれる中間領域に、左右に非粘着部分を介在して再剥離を可能とする再剥離粘着剤層を形成した剥離紙のない伝票類カバー用粘着シートとした。
【発明の開示】
【発明が解決しようとする課題】
【０００５】
本発明は、先に提案した伝票類カバー用粘着シートを使用する現場において、封入する伝票類の巾に応じて１枚毎の適宜な巾に粘着シートをカットし、より使いやすくするための粘着シートフィーダーを提供すること、また、省資源化、コストダウンの要請から使い捨てでなく、長期使用を可能とした粘着シートフィーダーを提供することを要旨とするものである。
【課題を解決するための手段】
【０００６】
その為、本発明は、細長の箱状ホルダー内に、ロール状に巻き取られた伝票類カバー用粘着シートロール（以下、単に粘着シートロールと言う。）を回転可能で且つ引き出し可能に収容し、使用する伝票類の巾に合わせた任意の巾に切断できる鋸歯状のカッター刃を、開閉自在としたホルダーの蓋体前端縁に設けた。
【０００７】
また、カッター刃が長期使用と共に粘着剤の付着により切れ味が落ちないように鋸歯状の刃を鋭角な先端形状とした。
【０００８】
更に、カッター刃の交換を可能とする為、蓋体端縁に設けた取付部材により交換可能に取り付けた。
【発明の効果】
【０００９】
本発明では、細長の箱状ホルダー内の粘着シートロールから引き出した粘着シートを、梱包する発送現場にて使用する伝票の巾に合わせて任意の巾に切断できるので、従来に比べて資材の無駄を省け、省資源の要請を満たし、発送作業の効率化に貢献できる。
【００１０】
また、表面に剥離コート層を形成した粘着シートをロール状に巻き取った粘着シートロールとしたため、背面の粘着剤が接着せず剥離紙を必要としないので、更に省資源化、コストダンが図れる。
【発明を実施するための最良の形態】
【００１１】
図１は本発明の伝票類カバー用粘着シートフィーダー１の正面図で、粘着シートＡが巻芯にロール状に巻き取られた粘着シートロールＲが、細長のホルダー２内に回転可能に保持されている。該ホルダー２は細長の箱状を呈し、シートロールＲが緩やかに収容できる容積をもち、上面が開口して粘着シートロールＲの交換を可能とし、且つ該粘着シートロールＲより引き出す粘着シートＡの引出口２ａともなっている。
【００１２】
また、該ホルダー２より引き出した粘着シートＡを適宜な巾にて切断するカッター刃３が、蓋体４の前端縁４ａに取付部材５により取替え可能に取り付けられている。該カッター刃３は蓋体４の前端縁４ａの長さをもった長尺状の刃部３ａを備え、該刃部は鋸歯状３ｂに形成されている。また、蓋体４はその後端縁４ｂにてホルダー２の後縁２ｂに開閉可能に取り付けられている。
【００１３】
また、本発明に使用される粘着シートロールＲは、図３に示すように透明フィルムのカバー基材１０の表面に、シリコンコート等の材料による剥離コート層１１が形成され、カバー基材１０の背面には左右の側方向に沿って帯状の強い粘着力をもつ粘着剤層１２、１２が形成され、該帯状の粘着剤層１２，１２に挟まれる中間領域１３に、左右に非粘着部分１４，１４を介在させて再剥離が可能な弱い粘着力を持つ再剥離粘着剤層１５が形成されて伝票類カバー用粘着シートＡが構成されている。
【００１４】
この伝票類カバー用粘着シートＡは、図４に示すように長手方向に連続して形成され、巻芯にロール状に巻き取られて粘着シートロールＲとして提供される。
【００１５】
次に作用を説明する。本発明の粘着シートフィーダー１の不使用時は、粘着シートロールＲは細長のホルダー２内に収容され、蓋体４が上面を開口するホルダー２の上部を覆うように塞いでいる。
【００１６】
使用に当って、ホルダー２の蓋体４を引出口２ａから上方に向って持ち上げ、粘着シートロールＲから粘着シートＡ端を引っ張ってホルダー２の外に引き出し、使用する伝票類の巾を十分覆い得る巾分引き出した時点で蓋体４の前端縁４ａのカッター刃３にて、粘着シートＡを横断するように巾方向に引っ張ることでカットされる（図３参照）。
【００１７】
カット後は、粘着シートＡは切断端Ａａをカッター刃に留め、後端はシートロールＲと連続しており、ホルダー２の上面の開口２ａを塞ぐ状態で待機している。次段の粘着シートＡの引き出し、カットには前記同様の作業が繰り返される。
【００１８】
以上のように、使用に際しては１枚毎の伝票類カバー用粘着シートＡにカットし、背面の再剥離粘着剤層１５に伝票類Ｂを一時的に保持した後、両側の帯状の強い粘着剤層１２，１２の粘着力にて荷物である被着体面Ｃに確実に貼り付けられて、伝票類Ｂは被着体Ｃ面に封入されて保持される（図６、図７参照）。
【００１９】
封入後はカバー基材１０を表面から軽く押圧することで、カバー基材１０はその中央部分に帯状に形成された再剥離粘着剤層１５の粘着力で伝票類Ｂを軽く保持し、封入した伝票類Ｂが抜け落ちることを防止している。
【図面の簡単な説明】
【００２０】
【図１】本発明の粘着シートフィーダーの実施例を示す正面図である。
【図２】同側面図である。
【図３】同粘着シートロールから、粘着シートを引き出した状態の説明図である。
【図４】本発明で使用される伝票類粘着シートの背面図である。
【図５】本発明で使用される粘着シートの断面図である。
【図６】粘着シートにて伝票類を封入し、被着体に貼り付けられた状態の説明図である。
【図７】伝票類の封入された状態を誇張して示す断面図である。
【符号の説明】
【００２１】
１、  粘着シートフィーダー
２、  ホルダー
３、  カッター刃
４、  蓋体
４ａ、  蓋体の前端縁
５、  取付部材
１０、  透明フィルムのカバー基材
１１、  剥離コート層
１２、  粘着剤層
１３、  中間領域
１５、  再剥離粘着剤層
Ｒ、  粘着シートロール
Ａ、  粘着シート
【図１】
2007238164.tif 000003
【図２】
2007238164.tif 000004
【図３】
2007238164.tif 000005
【図４】
2007238164.tif 000006
【図５】
2007238164.tif 000007
【図６】
2007238164.tif 000008
【図７】
2007238164.tif 000009